(57)【要約】【課題】熱交換器の性能や強度の低下を防ぐことができる空気調和機の室外機を提供する。【解決手段】略直方体に形成される筐体と、前記筐体の底面パネルから立設され背面側に収容される熱交換器と、外気の温度を検出する外気温センサと、前記外気温センサを保持するホルダと、を備え、前記筐体は、前記熱交換器の一部を露出させる開口部と、前記開口部に隣接し、少なくとも前記筐体の外周面の一部を構成する外郭パネルと、を含み、前記ホルダは、前記外郭パネル及び前記熱交換器の少なくとも一方の上端部に掛けるための掛け部と、前記外気温センサを保持するとともに、前記掛け部から前記熱交換器の露出部に沿って垂れ下げられる本体部と、を有する。【選択図】図６
2020106211.tif 000002
【特許請求の範囲】
【請求項１】
略直方体に形成される筐体と、
前記筐体の底面パネルから立設され背面側に収容される熱交換器と、
外気の温度を検出する外気温センサと、
前記外気温センサを保持するホルダと、を備え、
前記筐体は、前記熱交換器の一部を露出させる開口部と、前記開口部に隣接し、少なくとも前記筐体の外周面の一部を構成する外郭パネルと、を含み、
前記ホルダは、前記外郭パネル及び前記熱交換器の少なくとも一方の上端部に掛けるための掛け部と、前記外気温センサを保持するとともに、前記掛け部から前記熱交換器の露出部に沿って垂れ下げられる本体部と、を有する空気調和機の室外機。
【請求項２】
前記掛け部は、前記本体部から引き出される前記外気温センサのリード線を案内するガイド部を含んで構成され、
前記ガイド部は、前記リード線が前記外郭パネルの上端部に沿うように形成される請求項１に記載の空気調和機の室外機。
【請求項３】
前記掛け部は、前記外郭パネルの上端部に係止する爪部を備える請求項２に記載の空気調和機の室外機。
【請求項４】
前記ガイド部は、前記リード線を案内する溝部によって構成され、
前記溝部のうち、前記熱交換器と対向する側壁は、前記熱交換器の上端部の形状に応じて屈曲して形成される請求項２又は請求項３に記載の空気調和機の室外機。
【請求項５】
前記筐体は、上面を構成する上面パネルを含み、
前記上面パネルは、前記外郭パネルの上端部を覆う側壁を備え、
前記掛け部は、前記側壁と、前記熱交換器及び前記外郭パネルの少なくとも一方の上端部と、の間で保持される請求項１から請求項４の何れか一項に記載の空気調和機の室外機。
【発明の詳細な説明】
【技術分野】
【０００１】
本発明は空気調和機の室外機に関する。
【背景技術】
【０００２】
従来、空気調和機の室外機では、外気温センサのホルダは、室外機の熱交換器のフィンの間に差し込み、且つ、熱交換器の配管を挟持するように係止されていたり、熱交換器の端部に設けられるエンドプレートに設けられる切り欠き部分に固定されたりすることで、熱交換器の外部への露出部分に取り付けられている。
【０００３】
特許文献１には、室外機の熱交換器のフィンの間に差し込み、且つ、熱交換器の配管を挟持するホルダを備えた空気調和機の室外機が開示されている。ホルダは、熱交換器の配管を挟持する係止部の爪部が弾性を有することで、配管の径や配管間のピッチが異なる熱交換器であっても、配管を挟持することができる。
【先行技術文献】
【特許文献】
【０００４】
【特許文献１】特開２００８−１２１９４９号公報
【発明の概要】
【発明が解決しようとする課題】
【０００５】
しかしながら、従来の構成では、例えば、ホルダの組み付け時に熱交換器を傷つけてしまうことで、熱交換器の性能を低下させてしまったり、エンドプレートに切り欠きを形成することで、熱交換器の強度を低下させてしまったりする場合があった。
【０００６】
上記の問題点に鑑み、本発明は、一例として、熱交換器の性能や強度の低下を防ぐことができる空気調和機の室外機を提供することを目的とする。
【課題を解決するための手段】
【０００７】
本発明に係る空気調和機の室外機は、略直方体に形成される筐体と、前記筐体の底面パネルから立設され背面側に収容される熱交換器と、外気の温度を検出する外気温センサと、前記外気温センサを保持するホルダと、を備え、前記筐体は、前記熱交換器の一部を露出させる開口部と、前記開口部に隣接し、少なくとも前記筐体の外周面の一部を構成する外郭パネルと、を含み、前記ホルダは、前記外郭パネル及び前記熱交換器の少なくとも一方の上端部に掛けるための掛け部と、前記外気温センサを保持するとともに、前記掛け部から前記熱交換器の露出部に沿って垂れ下げられる本体部と、を有する。
【図面の簡単な説明】
【０００８】
【図１】本発明の実施形態１に係る空気調和機の室外機の前方斜視図である。
【図２】図１に示した空気調和機の室外機の後方斜視図である。
【図３】図１に示した空気調和機の室外機において上面パネルを取り外した状態の後方斜視図である。
【図４】図１に示した空気調和機の室外機において上面パネルを取り外した状態の上面概略図である。
【図５】図１に示した空気調和機の室外機を後方から見た一部拡大図である。
【図６】図１に示した空気調和機の室外機を後方斜視から見た一部拡大図である。
【図７】図１に示した空気調和機の室外機を後方斜視から見た一部拡大図である。
【図８】（ａ）図１に示した空気調和機の室外機のホルダを示す背面図である（ｂ）図１に示した空気調和機の室外機のホルダを示す後方斜視図である（ｃ）図１に示した空気調和機の室外機のホルダを示す後方斜視図である。
【図９】（ａ）図１に示した空気調和機の室外機のホルダの展開した状態を示す背面図である（ｂ）図１に示した空気調和機の室外機のホルダの展開した状態を示す後方斜視図である（ｃ）図１に示した空気調和機の室外機のホルダの展開した状態を示す後方斜視図である。
【発明を実施するための形態】
【０００９】
以下、図面を参照しつつ、本発明の各実施の形態について説明する。なお、本明細書及び図面において、同一又は同等の要素には同一の符号を付することにより重複する説明は省略し、また、本発明に直接関係のない要素は図示を省略する場合がある。さらに、かかる実施の形態に示す構成要素の形態はあくまでも例示であって、これらの形態に限定されるものではない。
【００１０】
本実施の形態にかかる空気調和機の室外機１００について説明する。本実施の形態にかかる空気調和機は、セパレート式の空気調和機であって、主として、室内機（図示せず）と、室外機１００とから構成される。
【００１１】
室内機は、略直方体状の形状を有しており、通常、部屋の壁の上部に掛けられて使用される。室内機内には室内側熱交換器（図示せず）が備えられている。室外機１００には、圧縮機１０１、室外側熱交換器（熱交換器）１０２、四方弁（図示せず）、膨張弁（図示せず）などが備えられている。これらと室内側熱交換器とによって冷凍サイクルが構成される。
【００１２】
冷凍サイクルにおいて、圧縮機１０１は、冷媒を圧縮する。膨張弁は、冷媒を減圧する。室外側熱交換器１０２は、暖房運転時には蒸発器として機能するとともに、冷房運転時には凝縮器として機能する。室内側熱交換器は、暖房運転時には凝縮器として機能し、冷房運転時には蒸発器として機能する。
【００１３】
図１から図４までを参照して、室外機１００の具体的な構成について説明する。以下では、説明の便宜上、前面パネル１１３が配置されている側を室外機１００の正面側又は前方側とし、室外側熱交換器１０２が配置されている側を室外機１００の背面側又は後方側とする。また、室外機１００の右側とは、室外機１００を正面から見たときの右側を意味し、室外機１００の左側とは、室外機１００を正面から見たときの左側を意味する。図１は、空気調和機の室外機１００の前方斜視図である。図２は、室外機１００の後方斜視図である。図３は、上面パネル１１２を取り外した状態の室外機１００の後方斜視図である。図３に示す室外機１００は、内部構造の一部を省略している。図４は、上面パネル１１２を取り外した状態の室外機１００の上面概略図である。
【００１４】
室外機１００は、略直方体の形状を有しており、通常、屋外の平坦面上に配置される。室外機１００の外形は、主として、筐体１１０によって形成される。筐体１１０は、底面パネル１１１から前面パネル１１３、側面パネル１１４及び側面パネル１１５が立設され、その上端部を上面パネル１１２が覆うように取り付けられることで構成される。すなわち、前面パネル１１３、側面パネル１１４及び側面パネル１１５は、筐体１１０の外周を囲うように設けられ、外郭（外周面）を成す外郭パネルとして構成される。以下では、前面パネル１１３、側面パネル１１４及び側面パネル１１５は外郭パネルとも称する。
【００１５】
底面パネル１１１は、主として筐体１１０の底面からなる。底面パネル１１１は、略トレイ型の形状を有しており、筐体１１０に収容される各種の構造物が取り付けられている。底面パネル１１１の外縁部には、前面パネル１１３及び側面パネル１１４及び側面パネル１１５の下端部がそれぞれ固定されている。
【００１６】
上面パネル１１２は、主として筐体１１０の上面からなる。上面パネル１１２は、略トレイ型の形状を有しており、外縁部に側壁１１２ａが設けられている。側壁１１２ａには、側面パネル１１４及び側面パネル１１５の上端部がそれぞれ固定されている。側面パネル１１４及び側面パネル１１５の上端部は、側壁１１２ａよりも内側に位置しており、側壁１１２ａによって覆われている。
【００１７】
前面パネル１１３は、主として筐体１１０の前面からなる。前面パネル１１３は、一枚の板状部材の両側部をそれぞれ屈曲することで、略コの字状に形成される。前面パネル１１３は、両側部が筐体１１０の側面にそれぞれ回り込むように配置される。前面パネル１１３の左端部は、室外側熱交換器１０２の一端部１０２ａに固定されている。
【００１８】
側面パネル１１４は、主として筐体１１０の左側面の一部と、背面の一部とからなる。側面パネル１１４は、一枚の板状部材の一側部を屈曲することで、略Ｌ字状に形成される。側面パネル１１４は、筐体１１０の左側面から背面にかけて回り込むように配置される。すなわち、側面パネル１１４は、筐体１１０の左側面の一部を構成する側面部１１４ｂと、背面の一部を構成する背面部１１４ｃと、を備える。側面パネル１１４は、左側面から背面にかけて形成される角部を覆うように配置される。側面パネル１１４は、室外側熱交換器１０２の外周の一部に沿って設けられている。
【００１９】
側面パネル１１５は、主として筐体１１０の右側面と、背面の一部とからなる。側面パネル１１５は、一枚の板状部材の一側部を屈曲することで、略Ｌ字状に形成される。側面パネル１１５は、一側部が筐体１１０の右側面から背面に回り込むように配置される。すなわち、側面パネル１１５は、筐体１１０の右側面を構成する側面部１１５ｂと、背面の一部を構成する背面部１１５ｃと、を備える。背面部１１５ｃは、室外側熱交換器１０２の他端部１０２ｂと前後方向において隣り合うように設けられる。背面部１１５ｃは、室外側熱交換器１０２の他端部１０２ｂに固定されている。
【００２０】
側面パネル１１４の背面部１１４ｃ及び側面パネル１１５の背面部１１５ｃの間（筐体１１０の背面中央）は、開放されており、室外側熱交換器１０２の一部が露出している。すなわち、筐体１１０には、背面に形成され、室外側熱交換器１０２の背面側の一部を露出させる開口部１１０ａが形成されている。以下では、室外側熱交換器１０２のうち、開口部１１０ａと面している部分を露出部１０２ｃと称する。すなわち、側面パネル１１４は、開口部１１０ａに隣接し、少なくとも外周面（背面）の一部を構成している。同様に、側面パネル１１５は、開口部１１０ａに隣接し、少なくとも外周面（背面）の一部を構成している。
【００２１】
また、側面パネル１１４の側面部１１４ｂと、前面パネル１１３の左端部との間は、開放されており、室外側熱交換器１０２の一部が露出している。すなわち、筐体１１０には、室外側熱交換器１０２の左側面側の一部を露出させる開口部１１０ｂが形成されている。すなわち、前面パネル１１３は、開口部１１０ｂと隣接し、少なくとも外周面（左側面）の一部を構成している。
【００２２】
図４に示すように、筐体１１０の内部には、圧縮機１０１、室外側熱交換器１０２、送風機１０３、電装ボックス１０４、分離板１０５などが収納されている。筐体１１０内の空間は、分離板１０５によって、圧縮機１０１などが配置される空間（機械室１０６）と、送風機１０３等が配置される空間（熱交換室１０７）と、に区画されている。
【００２３】
機械室１０６には、圧縮機１０１等が配置されている。機械室１０６は、前面パネル１１３の一部、側面パネル１１５、分離板１０５によって囲まれる。
【００２４】
熱交換室１０７には、室外側熱交換器１０２、送風機１０３等が配置されている。熱交換室１０７は、前面パネル１１３の一部、側面パネル１１４、分離板１０５によって囲まれる。室外側熱交換器１０２は、上面視において、略Ｌ字状に形成される。室外側熱交換器１０２は、底面パネル１１１から立設され、筐体１１０の背面側に収容されている。具体的には、室外側熱交換器１０２は、筐体１１０内の左側面から背面にかけて配置されている。室外側熱交換器１０２の内部では、冷媒配管１０２ｄが複数回折り返されながら蛇行して延びている。冷媒配管１０２ｄには、多数の放熱フィン（図示せず）が取り付けられている。
【００２５】
送風機１０３は、室外側熱交換器１０２の前面側の空間に配置されている。送風機１０３の回転によって、側面パネル１１４に形成される流入口１１４ａ及び筐体１１０の背面に形成される開口部１１０ａ及び筐体１１０の左側面に形成される開口部１１０ｂから室外側熱交換器１０２を通過し、前面パネル１１３に形成される吹出口１１３ａから外部へ送出される空気の流れが形成される。
【００２６】
これにより、筐体１１０内へ流入した外気は、室外側熱交換器１０２の放熱フィン間を通過して、室外側熱交換器１０２の冷媒配管１０２ｄ内を流れる冷媒と外気とが熱交換される。そして、熱交換された外気は、吹出口１１３ａを介して筐体１１０の外に排出される。
【００２７】
電装ボックス１０４は、分離板１０５の上部、具体的には、分離板１０５と上面パネル１１２との間に配置され、機械室１０６及び熱交換室１０７をまたぐように配置される。電装ボックス１０４は、上面視において、室外側熱交換器１０２の他端部１０２ｂの前方に配置されている。電装ボックス１０４は、電装基板（図示せず）を備えている。電装基板には、室外機１００内の各部材の動作を制御するための制御部などが搭載されている。電装基板には、後述の外気温センサ２００のリード線２００ａが接続される。外気温センサ２００は、外気の温度を検出するセンサであり、例えば、サーミスタからなる。制御部は、外気温センサ２００によって検出された外気温等に基づいて、圧縮機１０１、送風機１０３、加熱ヒータ(図示しない)等を駆動している。
【００２８】
図５から図７までを用いて、外気温センサ２００を保持するホルダ２１０について説明する。図５は、上面パネル１１２を取り外した状態での室外機１００を後方から見た一部拡大図である。図６は、上面パネル１１２を取り外した状態での室外機１００を後方斜視から見た一部拡大図である。図７は、上面パネル１１２を取り外した状態での室外機１００を後方斜視から見た一部拡大図である。
【００２９】
図５及び図６及び図７に示すように、ホルダ２１０は、外気温センサ２００を保持する本体部２２０と、ホルダ２１０を取り付ける掛け部（取付部）２３０と、を有する。より具体的には、ホルダ２１０は、掛け部２３０によって、室外側熱交換器１０２の上端部及び側面パネル１１５の上端部に取り付けられている。
【００３０】
本体部２２０は、室外側熱交換器１０２の露出部１０２ｃに配置され、一例として、側面パネル１１５（背面部１１５ｃ）の上部と隣接するように設けられている。掛け部２３０は、側面パネル１１５（背面部１１５ｃ）の上端部及び室外側熱交換器１０２の上端部にまたがるように掛けられる。すなわち、ホルダ２１０は、側面パネル１１５（背面部１１５ｃ）の上端部及び室外側熱交換器１０２の上端部にまたがるように掛けられて、露出部１０２ｃに沿って垂れ下げられる。
【００３１】
側面パネル１１５の上端部とは、一例として、背面部１１５ｃの上端部に形成される取付片１１５ａを指す。取付片１１５ａは、背面部１１５ｃの上部から上方に立設される片であり、上面パネル１１２の側壁１１２ａにより覆われている。背面部１１５ｃの取付片１１５ａは、任意の締結具（一例として、ビス１１５ｄ）によって、室外側熱交換器１０２の他端部１０２ｂに設けられるエンドプレート１１６に固定されている。掛け部２３０は、本体部２２０の上端部から側方に延出され、背面部１１５ｃの取付片１１５ａに掛けられるように構成されている。
【００３２】
室外側熱交換器１０２の上端部とは、背面上部から上面にかけて形成される角部（エッジ部分）を指す。角部は、複数の放熱フィンが並設されることで形成されている。掛け部２３０は、室外側熱交換器１０２の角部（エッジ部分）に掛けられるように構成されている。
【００３３】
これにより、室外側熱交換器１０２を構成する冷媒配管１０２ｄにホルダ２１０を直接取り付けることなく、室外側熱交換器１０２の露出部１０２ｃに配置することができる。ゆえに、室外側熱交換器１０２を傷つけることなく、ホルダ２１０を組み付けることができる。また、室外側熱交換器１０２のエンドプレート１１６に切り欠き等を設ける必要がないため、室外側熱交換器１０２の強度の低下を防止することができる。また、本体部２２０を側面パネル１１５の上部と隣接するように配置することで、掛け部２３０を介して容易に本体部２２０を取り付けることができる。
【００３４】
なお、本体部２２０は、露出部１０２ｃにおいて側面パネル１１５の上部と隣接するように配置されているが、これに限定されず、例えば、側面パネル１１５の上部から側方に所定の間隔をあけて配置してもよいし、側面パネル１１５の下部と隣接するように配置してもよい。また、掛け部２３０は、側面パネル１１５の上端部及び室外側熱交換器１０２の上端部にまたがって掛けられるように構成しているが、これに限定されず、例えば、側面パネル１１４（背面部１１４ｃ）の上端部及び室外側熱交換器１０２の上端部にまたがって掛けられるように構成してもよい。また、掛け部２３０は、室外側熱交換器１０２の背面側の露出部１０２ｃに配置されているが、これに限定されず、例えば、室外側熱交換器１０２の左側面側の露出部に配置してもよい。この場合、前面パネル１１３の上端部及び室外側熱交換器１０２の上端部にまたがって掛けられるように構成してもよいし、側面パネル１１４（側面部１１４ｂ）の上端部及び室外側熱交換器１０２の上端部にまたがって掛けられるように構成してもよい。
【００３５】
また、掛け部２３０は、本体部２２０から引き出されるリード線２００ａを案内するガイド部２３０ａを含んで構成される。ガイド部２３０ａは、リード線２００ａを収容する略凹状の溝部からなる。ガイド部２３０ａは、本体部２２０の上端部から側方に延出され、本体部２２０と隣接する外郭パネル（本実施の形態では、側面パネル１１５）の延在方向に沿うように設けられる。外郭パネルの延在方向とは、筐体１１０の外周に沿った方向である。ガイド部２３０ａは、背面部１１５ｃの延在方向（左右方向）に沿って形成される。
【００３６】
これにより、リード線２００ａを側面パネル１１５（背面部１１５ｃ）の延在方向に沿って案内することができるため、室外側熱交換器１０２を迂回するように、つまり、室外側熱交換器１０２に接触することを回避して、電装ボックス１０４に接続することが容易となる。ゆえに、リード線２００ａを保護する緩衝材や保護チューブ等を設ける必要がなく、筐体１１０の内部空間をより効率的に利用することができる。
【００３７】
また、ガイド部２３０ａの先端は、室外側熱交換器１０２の他端部１０２ｂよりも側方に突出するように構成される。すなわち、ガイド部２３０ａの先端は、室外側熱交換器１０２の他端部１０２ｂと前後方向において重ならないように設けられる。これにより、室外側熱交換器１０２への接触をより回避することができる。
【００３８】
図８及び図９を用いて、ホルダ２１０の構造について説明する。図８（ａ）は、ホルダ２１０を示す背面図である。図８（ｂ）は、ホルダ２１０を示す後方斜視図である。図８（ｃ）は、ホルダ２１０を示す後方斜視図である。図９（ａ）は、ホルダ２１０の展開した状態を示す背面図である。図９（ｂ）は、ホルダ２１０の展開した状態を示す後方斜視図である。図９（ｃ）は、ホルダ２１０の展開した状態を示す後方斜視図である。
【００３９】
本体部２２０は、凹状に形成され、外気温センサ２００を収容する収容部２２０ａと、収容部２２０ａを開閉するカバー部２２０ｂと、を備える。収容部２２０ａは、上下に延びるように形成される。収容部２２０ａには、外気温センサ２００の中途部を保持する一対の係止部２２０ｃと、外気温センサ２００を挿入して先端部の方向を規制する孔２２０ｄと、が設けられている。外気温センサ２００は、孔２２０ｄに挿入されることで、先端部が下方に向くように保持される。
【００４０】
なお、本体部２２０は、外気温センサ２００の先端部が下方に向くように構成されているが、これに限定されず、例えば、外気温センサ２００の先端部が側方に向くように構成してもよい。
【００４１】
カバー部２２０ｂは、その一端に設けられるヒンジ部２２０ｅを介して収容部２２０ａと一体的に成形されており、収容部２２０ａに対して開閉可能に構成されている。カバー部２２０ｂには、外気を取り込む複数の通気口２２０ｆが設けられる。
【００４２】
掛け部２３０は、側面パネル１１５（背面部１１５ｃ）の上端部及び室外側熱交換器１０２の上端部にそれぞれ掛けられる。掛け部２３０は、背面部１１５ｃの上端部に掛けるための掛止片２３０ｂ及び掛止片２３０ｃを備える。
【００４３】
掛止片２３０ｂは、ガイド部２３０ａの下方に突出して形成される。掛止片２３０ｂは、ガイド部２３０ａを支持する脚であり、背面部１１５ｃの側縁部から上縁部（角部）に沿うように形成される。
【００４４】
掛止片２３０ｃは、ガイド部２３０ａの下方に突出して形成される。掛止片２３０ｃは、ガイド部２３０ａを支持する脚であり、背面部１１５ｃの上端部（取付片１１５ａ）を挟み込むように複数設けられる。複数の掛止片２３０ｃは、取付片１１５ａよりも内側に位置する片と、取付片１１５ａよりも外側に位置する片と、から構成される。取付片１１５ａよりも外側に位置する掛止片２３０ｃには、取付片１１５ａに係止する爪部２３０ｄが形成される。爪部２３０ｄが取付片１１５ａに設けられる開口部１１５ｅ（図５参照）に係止されることで、ガイド部２３０ａは背面部１１５ｃの上端部に係止される。
【００４５】
以上のように、掛止片２３０ｂを背面部１１５ｃの側縁部から上縁部に沿うように掛けるとともに、複数の掛止片２３０ｃによって取付片１１５ａを挟み込むことで、ガイド部２３０ａを取付片１１５ａに掛けている。また、側面パネル１１５の上端部（開口部１１５ｅ）に係止する爪部２３０ｄを備えることで、ガイド部２３０ａを係止することができる。
【００４６】
ガイド部２３０ａ（溝部）を構成する側壁、具体的には、室外側熱交換器１０２と対向する側壁２３０ｅは、室外側熱交換器１０２の上端部の形状に応じて屈曲して形成される。室外側熱交換器１０２の上端部とは、例えば、室外側熱交換器１０２の背面上部から上面にかけて形成される角部（エッジ部分）を指す。側壁２３０ｅは、上述の室外側熱交換器１０２のエッジ部分に掛けられるように、室外側熱交換器１０２側へ屈曲して形成され、略Ｌ字状に形成される。これにより、側壁２３０ｅは、室外側熱交換器１０２のエッジ部分に掛けられる。
【００４７】
ホルダ２１０（掛け部２３０）は、上面パネル１１２の側壁１１２ａと、室外側熱交換器１０２及び側面パネル１１５の少なくとも一方の上端部と、の間で保持される。側壁１１２ａと、ホルダ２１０のうち、側壁１１２ａと対向する部分（例えば、ガイド部２３０ａを構成する側壁２３０ｆ）との間隔は、掛け部２３０が室外側熱交換器１０２及び側面パネル１１５に掛けられた状態（仮止め状態）が解かれない程度の間隔となるように設定される。これにより、ホルダ２１０は、室外側熱交換器１０２及び側面パネル１１５から外れないように構成されている。また、カバー部２２０ｂの上端部は、側壁１１２ａにより覆われるように構成される。これにより、上面パネル１１２を固定した状態では、カバー部２２０ｂを開閉することができず、上面パネル１１２を取り外さなければ、収容部２２０ａの内部にアクセスできないように構成されている。
【００４８】
以上の構成において、ホルダ２１０は、室外側熱交換器１０２の上端部及び背面部１１５ｃの上端部にまたがって掛けられ、露出部１０２ｃに沿って垂れ下げられるように構成されることで、室外側熱交換器１０２を傷つけることなく、ホルダ２１０を露出部１０２ｃにおいて保持することができる。また、室外側熱交換器１０２のエンドプレート１１６に切り欠き等を設ける必要がないため、室外側熱交換器１０２の強度が低下することを防止することができる。また、ホルダ２１０は、側壁１１２ａと、室外側熱交換器１０２及び側面パネル１１５の少なくとも一方の上端部と、の間で保持されることで、ホルダ２１０を安定的に支持することができる。
【００４９】
また、本体部２２０の上端部から側方に延出される掛け部２３０にガイド部２３０ａが設けられることで、ホルダ２１０を保持しながらリード線２００ａを容易に案内することができる。
【００５０】
なお、側壁２３０ｅは、室外側熱交換器１０２の角部（エッジ部分）に沿うように、略Ｌ字状に形成されているが、これに限定されない。例えば、側壁２３０ｅは、室外側熱交換器１０２の背面上部から上面を介して正面上部に掛けられるように、二回屈曲させることで、略コの字状に形成し、室外側熱交換器１０２の上端部に引っ掛けるように構成してもよい。
【００５１】
なお、ホルダ２１０は、室外側熱交換器１０２の上端部及び側面パネル１１５の上端部にまたがるように掛けられているが、これに限定されない。例えば、室外側熱交換器１０２の上端部にのみ掛けられるように構成してもよい。また、側面パネル１１５の上端部（取付片１１５ａ）にのみ掛けられるように構成してもよい。つまり、ホルダ２１０は、掛け部２３０によって室外側熱交換器１０２及び側面パネル１１５の少なくとも一方の上端部に掛けられるとともに、本体部２２０が室外側熱交換器１０２の露出部１０２ｃに沿って垂れ下げられるように構成されればよい。
【００５２】
また、ホルダ２１０は、開口部１１０ａと隣接する外郭パネルのうち、機械室１０６の一部を構成する外郭パネルに掛けられることが好ましい。開口部１１０ａと隣接する外郭パネルのうち、機械室１０６の一部を構成する外郭パネルとは、側面パネル１１５を指す。これにより、電装ボックス１０４に近い側の外郭パネル（側面パネル１１５）からガイド部２３０ａを介して外気温センサ２００のリード線２００ａを引き出せるため、電装ボックス１０４への配線が容易である。
【００５３】
なお、爪部２３０ｄが取付片１１５ａの開口部１１５ｅに係止されることで、掛け部２３０を取付片１１５ａに係止しているが、これに限定されず、掛け部２３０及び側面パネル１１５を固定する構成としてもよい。例えば、取付片１１５ａとエンドプレート１１６とを固定するビス１１５ｄを用いて、側面パネル１１５及びホルダ２１０をエンドプレート１１６に共締めしてもよい。これにより、既存の部材を用いてホルダ２１０を室外側熱交換器１０２及び側面パネル１１５に固定することができる。
【００５４】
また、ガイド部２３０ａの長さは、室外側熱交換器１０２の形状に応じて適宜変更してもよい。例えば、室外側熱交換器１０２が筐体１１０内の左側面から背面を介して右側面に沿って配置されている場合（例えば、上面視において略Ｕ字状に形成される室外側熱交換器１０２が配置されている場合）、ガイド部２３０ａは、室外側熱交換器１０２の右側面側の端部まで、つまり、側面パネル１１５の背面部１１５ｃから側面部１１５ｂの上端部に沿うように形成してもよい。これにより、室外側熱交換器１０２を迂回するように、つまり、室外側熱交換器１０２に接触することを回避して、電装ボックス１０４に接続することが容易となる。ゆえに、リード線２００ａを保護する緩衝材や保護チューブ等を設ける必要がなく、筐体１１０の内部空間をより効率的に利用することができる。
【００５５】
なお、本発明は、上記実施の形態に限定されるものではなく、種々の変形が可能である。例えば、上記実施の形態で示した構成と実質的に同一の構成、同一の作用効果を奏する構成又は同一の目的を達成することができる構成で置き換えることができる。なお、特許請求の範囲における「熱交換器」は、例えば、上記の実施の形態における室外側熱交換器１０２を指す。また、特許請求の範囲における「外郭パネル」は、例えば、上記の実施の形態における前面パネル１１３及び側面パネル１１４及び側面パネル１１５のうち、少なくとも一方を指す。
【符号の説明】
【００５６】
１００  室外機、１０２  室外側熱交換器、１１０  筐体、１１２  上面パネル、１１２ａ  側壁、１１５  側面パネル、１１５ａ  取付片、１１５ｃ  背面部、２００  外気温センサ、２００ａ  リード線、２１０  ホルダ、２２０  本体部、２３０  掛け部、２３０ａ  ガイド部、２３０ｄ  爪部、２３０ｅ  側壁、２３０ｆ  側壁
【図１】
2020106211.tif 000003
【図２】
2020106211.tif 000004
【図３】
2020106211.tif 000005
【図４】
2020106211.tif 000006
【図５】
2020106211.tif 000007
【図６】
2020106211.tif 000008
【図７】
2020106211.tif 000009
【図８】
2020106211.tif 000010
【図９】
2020106211.tif 000011